(57)【要約】【課題】間隔を隔てて立設した両支柱の係止孔若しくは間仕切パネルの目地部に設けた係止孔を利用して、ブラケットのフックを嵌合係止し、両ブラケットに棚板の両端部を載置した収納棚において、棚板の内部に照明具を組み込んで、外観的にすっきりしたものとし、しかも眩しさを抑制し、下方の天板を効果的に照らせる収納棚における棚板下照明装置を提供する。【解決手段】ブラケット６を下縁が前端から後方に下方へ傾斜した傾斜縁５２とし、両側のブラケットに棚板７を載置し、傾斜縁に対応する傾斜板５４と後端に後面板５５とを有するたカバー部材５３を、両ブラケット間で棚板の前後縁に連結して空間部Ｓを形成し、空間部内で棚板の下面に沿った奥部に照明具５６を横設し、照明具の下方に乳白色の透光板５７を水平に保持し、透光板の下方に対応するカバー部材の傾斜板に開口部５８を形成した。【選択図】        図５
2008091185.tif 000002
【特許請求の範囲】
【請求項１】
収納棚の棚板や間仕切パネル等の適所に取付ける下面に傾斜面を有するボックスの空間部内に照明具を配置するとともに、該照明具の下方に乳白色の透光板を水平に保持し、該透光板の下方に対応する前記ボックスの傾斜面に開口部を形成してなることを特徴する収納棚における棚板下照明装置。
【請求項２】
間隔を隔てて立設した両支柱の係止孔を利用して、若しくは間仕切パネルの目地部に設けた係止孔を利用して、ブラケットの後端に突設したフックを嵌合係止するとともに、両ブラケットに棚板の両端部を載置した収納棚であって、前記ブラケットを下縁が前端から後方になるに従い下方へ傾斜した傾斜縁とし、左右両側のブラケットの上面に棚板を載置し、前記傾斜縁に対応する傾斜板と後端に立ち上がった後面板とを有するたカバー部材を、両ブラケット間で前記棚板の前後縁に連結して空間部を形成し、該空間部内で前記棚板の下面に沿った奥部に照明具を横設するとともに、該照明具の下方に乳白色の透光板を水平に保持し、該透光板の下方に対応する前記カバー部材の傾斜板に開口部を形成してなることを特徴する収納棚における棚板下照明装置。
【請求項３】
前記棚板の下面奥部に前後一対のガイドレールを並設し、該前後のガイドレール間に前記照明具を配するとともに、該照明具の前後に突設したローラを前記ガイドレールに転動可能に載置して、当該照明具を横方向移動可能とし、前記透光板及び開口部は、前記照明具の移動軌跡に対応させて横長としてなる請求項２記載の収納棚における棚板下照明装置。
【請求項４】
前記開口部の後方に横方向に延びたスリット溝を前記傾斜板に形成するとともに、前記照明具の後端部に固定し、下方へ延びた操作レバーを前記スリット溝から下方に露出してなる請求項３記載の収納棚における棚板下照明装置。
【請求項５】
前記支柱を机の後方に立設し、該机の天板の直上の棚板に前記照明具を組み込み、前記傾斜板の延長面が、机に着座した使用者の目の高さよりも低くなるように、前記ブラケットの支柱への取付高さを設定してなる請求項２〜４何れかに記載の収納棚における棚板下照明装置。
【発明の詳細な説明】
【技術分野】
【０００１】
本発明は、収納棚における棚板下照明装置に係わり、更に詳しくは支柱にブラケットを介して支持した棚板に照明機能を組み込んだ収納棚における棚板下照明装置に関するものである。
【背景技術】
【０００２】
従来から、間隔を隔てて立設した両支柱の係止孔を利用して、若しくは間仕切パネルの目地部に設けた係止孔を利用して、ブラケットの後端に突設したフックを嵌合係止するとともに、両ブラケットに棚板の両端部を載置した収納棚において、前記棚板の下面に照明装置を設けた構造の収納棚は各種提供されている。
【０００３】
例えば、特許文献１には、ベースキャビネットを設置する壁面の上部に取り付けるパネルと、このパネルに取り外し自在に設ける複数の棚板からなる厨房用棚板において、最上段の棚板の手前側に手元への照明器具を設ける点が開示されている。更に、棚板の下面は下方へ傾斜し、前面側は薄くなっており、内部の蛍光灯を配し、その傾斜した下方の開放部を透光性のカバーで覆っている点も開示されている。
【０００４】
また、特許文献２には、棚装置における天板または中間棚板の下面に装着する照明装置であって、天板または中間棚板の下面側両端部に互いに対向する断面コ字型の受け部を形成し、照明装置における下向き開放状の取付け枠には、内部に照明器具の支持部材を移動可能に嵌挿して支持させるための一対の長手レールを形成し、前記取付け枠の一端部を前記一方の受け部に嵌挿し、当該取付け枠における一対の長手レールの他端部には前記他方の受け部に嵌挿させて支持するための連結枠を摺動自在に内装し、この連結枠には突出状態を保持する係止部を設けた棚装置における照明装置が開示されている。
【０００５】
特許文献３には、棚板の下面に取付部材を介して照明具を取付けてなる棚板への照明具の取付装置であって、前記棚板は、載置板の前縁にチャンネル状補強部を形成するとともに、前記載置板の下面で前後中間部に補強部材を横設し、前記チャンネル状補強部と補強部材とに跨って取付部材を係止するとともに、該取付部材に照明具を下方からネジ止めしてなる棚板への照明具の取付装置が開示されている。
【０００６】
しかし、前述の特許文献に記載の構造も、棚板の内部に設けた蛍光灯等の照明具からの光を透明性のカバーで覆ったり（特許文献１）、シェードごと角度を調節できるようにしたり（特許文献２）、眩しくないような工夫を施しているが充分ではない。また、特許文献３では、棚板が薄いので照明具が下方へ突出しとおり、外観性を損なっていた。
【特許文献１】実用新案登録第２６０２２２３号公報
【特許文献２】特許第３１１７８７７号公報
【特許文献３】特開２００４−１６４０３号公報
【発明の開示】
【発明が解決しようとする課題】
【０００７】
そこで、本発明が前述の状況に鑑み、解決しようとするところは、間隔を隔てて立設した両支柱の係止孔を利用して、若しくは間仕切パネルの目地部に設けた係止孔を利用して、ブラケットの後端に突設したフックを嵌合係止するとともに、両ブラケットに棚板の両端部を載置した収納棚において、棚板の内部に照明具を組み込んで、外観的にすっきりしたものとし、しかも眩しさを抑制することができ、下方の天板を効果的に照らすことができる収納棚における棚板下照明装置を提供する点にある。
【課題を解決するための手段】
【０００８】
本発明は、前述の課題解決のために、収納棚の棚板や間仕切パネル等の適所に取付ける下面に傾斜面を有するボックスの空間部内に照明具を配置するとともに、該照明具の下方に乳白色の透光板を水平に保持し、該透光板の下方に対応する前記ボックスの傾斜面に開口部を形成してなることを特徴する収納棚における棚板下照明装置を構成した（請求項１）。
【０００９】
また本発明は、前述の課題解決のために、間隔を隔てて立設した両支柱の係止孔を利用して、若しくは間仕切パネルの目地部に設けた係止孔を利用して、ブラケットの後端に突設したフックを嵌合係止するとともに、両ブラケットに棚板の両端部を載置した収納棚であって、前記ブラケットを下縁が前端から後方になるに従い下方へ傾斜した傾斜縁とし、左右両側のブラケットの上面に棚板を載置し、前記傾斜縁に対応する傾斜板と後端に立ち上がった後面板とを有するたカバー部材を、両ブラケット間で前記棚板の前後縁に連結して空間部を形成し、該空間部内で前記棚板の下面に沿った奥部に照明具を横設するとともに、該照明具の下方に乳白色の透光板を水平に保持し、該透光板の下方に対応する前記カバー部材の傾斜板に開口部を形成してなることを特徴する収納棚における棚板下照明装置を構成した（請求項２）。
【００１０】
ここで、前記棚板の下面奥部に前後一対のガイドレールを並設し、該前後のガイドレール間に前記照明具を配するとともに、該照明具の前後に突設したローラを前記ガイドレールに転動可能に載置して、当該照明具を横方向移動可能とし、前記透光板及び開口部は、前記照明具の移動軌跡に対応させて横長としてなることが好ましい（請求項３）。
【００１１】
また、前記開口部の後方に横方向に延びたスリット溝を前記傾斜板に形成するとともに、前記照明具の後端部に固定し、下方へ延びた操作レバーを前記スリット溝から下方に露出してなることが好ましい（請求項４）。
【００１２】
更に、前記支柱を机の後方に立設し、該机の天板の直上の棚板に前記照明具を組み込み、前記傾斜板の延長面が、机に着座した使用者の目の高さよりも低くなるように、前記ブラケットの支柱への取付高さを設定してなることがより好ましい（請求項５）。
【発明の効果】
【００１３】
以上にしてなる請求項１に係る発明の収納棚における棚板下照明装置は、収納棚の棚板や間仕切パネル等の適所に取付ける下面に傾斜面を有するボックスの空間部内に照明具を配置するとともに、該照明具の下方に乳白色の透光板を水平に保持し、該透光板の下方に対応する前記ボックスの傾斜面に開口部を形成してなるので、照明具からの光が乳白色の透光板で散乱され、しかも透光板は水平で空間部の内部に配設したので、眩しさを和らげることができるのである。
【００１４】
以上にしてなる請求項２に係る発明の収納棚における棚板下照明装置は、ブラケットを下縁が前端から後方になるに従い下方へ傾斜した傾斜縁とし、左右両側のブラケットの上面に棚板を載置し、前記傾斜縁に対応する傾斜板と後端に立ち上がった後面板とを有するたカバー部材を、両ブラケット間で前記棚板の前後縁に連結して空間部を形成したので、照明装置を組み込むために充分な上下高さを有する空間部を確保でき、しかも前記ブラケットの側面視形状と同形であるので、外観性においても全く違和感がなく、収納棚全体の意匠の統一性が図れ、そして空間部内で前記棚板の下面に沿った奥部に照明具を横設するとともに、該照明具の下方に乳白色の透光板を水平に保持し、該透光板の下方に対応する前記カバー部材の傾斜板に開口部を形成したので、照明具からの光が乳白色の透光板で散乱され、しかも透光板は水平で空間部の内部に配設したので、眩しさを和らげることができるのである。
【００１５】
請求項３によれば、照明具をガイドレールに沿って、棚板下で横方向位置を変えることができ、所望位置を明るく照らすことができるのである。
【００１６】
請求項４によれば、照明具の後端部に固定し、下方へ延びた操作レバーをスリット溝から下方へ露出したので、この操作レバーを持って照明具を簡単に横方向移動させることができ、また操作レバーは下方へ延びているので、例え濡れた手で操作しても水滴が照明具の内部に侵入する恐れがないのである。
【００１７】
請求項５によれば、照明具を組み込んだ棚板の下方に机の天板が位置する場合、机に着座した使用者の目の高さを基準として、前記傾斜板の延長面が、目の高さよりも低くなるように、前記ブラケットの支柱への取付高さを設定することにより、使用者が全く眩しくなくなるので、目の疲れを少なくすることができる。
【発明を実施するための最良の形態】
【００１８】
次に、添付図面に示した実施形態に基づき、本発明を更に詳細に説明する。図１及び図２は本発明に係る棚板下照明装置を採用した収納棚を示し、図３〜図８は本発明に係る棚板下照明装置の詳細を示し、図中符号Ａは棚板下照明装置、１は支柱、２は机、３は脚体、４は脚取付部材、５は天板、６はブラケット、７は棚板、８は仕切部材をそれぞれ示している。
【００１９】
本実施形態の収納棚は、図１〜図４に示すように、側方へ同一のユニットを継ぎ足して横幅の広い収納棚を構成する連増しタイプのものであり、複数の支柱１，…を同一間隔毎に立設し、それぞれ机２，…で支持し、具体的には各支柱１に脚体３を脚取付部材４にて取付け、隣接する脚体３，３間に天板５を取付けて机２を構成し、該机２の上方で前記支柱の所定高さ位置にはブラケット６を着脱自在に取付けるとともに、隣接するブラケット６，６に棚板７の両側部を載置するとともに、前後左右及び上下方向の移動を規制した状態で支持し、更に棚板７の側端部と隣接する棚板７，７の連設部に仕切部材８，…を取付けた構造を有している。
【００２０】
更に、隣接する支柱１，１の上端間には連結杆９を渡設するとともに、前記天板５の下方で両脚体３，３の後端部間又は支柱１，１間に幕板１０を取付けている。尚、図示しないが、前記天板５の上方で隣接する支柱１，１間に、オプションとしてバックパネルを取付けることも可能である。
【００２１】
本実施形態では支柱１，…の前後両側に机２，２を取付けて、当該支柱１，…を立起状態に支持しているが、前記机２は片側のみであっても構わない。更に、前記机２の代わりに側面視逆Ｔ字形の接地部材を下端に設けたものでもよい。また、本実施形態では、支柱１，…は全て同一形状のものであり、等間隔で立設し、前記天板５及び棚板７は同一横幅であり、その側端面の位置は支柱１の中心線と略一致している。また、前記机２を構成する脚体３は全て同一形状であり、端部に位置する脚体３は天板５の側端面よりも内側位置に取付けてあり、また中間部に位置する脚体３は隣接する天板５，５に跨るように、該脚体３の中心線が隣接する天板５，５の接合線と一致するように設定している。
【００２２】
更に詳しくは、図３〜図５に示すように、前記支柱１の前後両面には、その中心線に沿って一列に係止孔１１，…を所定間隔毎に形成し、前記ブラケット６の垂直な基板１２の後端に前記係止孔１１，…に嵌合係止するフック１３，…を突設している。前記係止孔１１の横幅は、前記ブラケット６の基板１２の厚さの２倍より若干広く設定し、中間部の棚板７，７を連設する部分において、同一の係止孔１１，…に二つのブラケット６，６のフック１３，…が同時に嵌合係止できるようにしている。本実施形態では、最上段の前記フック１３は側面視略Ｔ字形であり、中段の前記フック１３は下向きフックであり、最下段のフック１３は突起状である。尚、前記支柱１，１の代わりに、間仕切パネルの目地部に位置する縦枠又は支柱に設けた係止孔を利用してブラケット６を取付けることも可能である。
【００２３】
そして、前記ブラケット６によって棚板７を支持する概略構成は、以下のようである。前記棚板７は上面板１４の周囲を下方へ折曲した下方開放の偏平箱型構造であり、前記ブラケット６は基板１２の後端に前記フック１３，…を形成し、前記基板１２と前記棚板７の側端面を略面一の状態で該棚板７を左右方向の移動を規制して載置するとともに、前方又は後方への棚板７の移動によって該棚板７の上方への移動を規制する係合手段を備え、更に前記棚板７に装着する保持部材１５又は仕切部材８によって該棚板７の後方又は前方への復帰移動を規制するようにしている。
【００２４】
具体的には、前記棚板７は、図３〜図５に示すように、上面板１４の前後縁を下方へ折曲して前補強縁１６と後補強縁１７を形成するとともに、側縁を下方へ折曲して側端板１８と該側端板１８から内方へ折曲した下面板１９を形成し、該下面板１９の前後中間部に前後方向のスリット孔２０を形成するとともに、該下面板１９の前端部を切欠して開放部２１を形成し、更に前記上面板１４の下面の前部に断面略コ字形の横補強部材２２を横設するとともに、該横補強部材２２の側端部の後面に縦長の係合孔２３を形成している。更に、前記棚板７の後端縁には、前記後補強縁１７の外面側に当止部材２４を固着し、該当止部材２４は上面板１４より上方へ突出し、この突出部を当該棚板７に載置した書籍等の後当りとする。そして、前記当止部材２４の突出部は、上端を前側に折曲し、更にその前端を下方へ折曲して当止片２５とし、それにより上部に下方開放した凹溝部を形成した全体として前方開放の係合溝２６を形成している。また、前記棚板７の上面板１４の下面で前記前補強縁１６と間隔を開けてレール部材２７を横設し、前記前補強縁１６とレール部材２７とで略同形の断面形状の前後一対の支持レール２８，２８を形成している。
【００２５】
また、前記ブラケット６は、図４及び図３に示すように、前記基板１２の上縁に前記棚板７の下面板１９を載置する内向きに水平な受板２９を折曲形成するとともに、前端部に前記前補強縁１６の内面に当止し且つ前記上面板１４を載支する側面視略Ｚ字形の前受部３０を形成し、更に前記受板２９の前後中間部を切り起して前記スリット孔２０に嵌入する突片３１を形成するとともに、該突片３１の前端に前記スリット孔２０の前端内縁に係止する爪片３２を突設し、更に前記受板２９の内縁に前記棚板７の下面板１９の内縁を当止する規制板３３を立設するとともに、該規制板３３の前端に前記係合孔２３に嵌入する爪片３４を突設している。
【００２６】
そして、前記ブラケット６の受板２９と前受部３０にそれぞれ前記棚板７の下面板１９と上面板１４とを載置するとともに、前記突片３１をスリット孔２０に嵌入し、更に前記規制板３３を下面板１９の内縁に位置させ、それから前記棚板７を後方へ移動させて前記突片３１の爪片３２をスリット孔２０の前端内縁に係止すると同時に、前記規制板３３の爪片３４を前記横補強部材２２の係合孔２３に嵌入し、更に前受部３０を前補強縁１６の内面に当止した状態とし、それから前記開放部２１に対応する上面板１４の前隅部に形成した開口３５に上方から合成樹脂製の保持部材１５を嵌着して前記前受部３０の後部を当止し、それによりブラケット６に対して棚板７を前後左右及び上下方向の移動を規制した状態で支持するのである。ここで、前記開放部２１は、前記支持レール２８，２８の端部に位置し、また前記開口３５に嵌着した保持部材１５は、後方の支持レール２８の端部に位置している。また、前記開口３５は、前記上面板１４の側端まで延び、その外側には前記側端板１８のみが存在している。
【００２７】
ここで、前方又は後方への棚板７の移動によって該棚板７の上方への移動を規制する係合手段とは、前記スリット孔２０と前記突片３１の爪片３２及び前記係合孔２３と前記規制板３３の爪片３４との係合関係のことである。本実施形態では、前記棚板７を後方へ移動させることにより係合する構造を示したが、逆に前記棚板７を前方へ移動させることにより係合する構造でもよい。その場合には、前記保持部材１５で棚板７の後方移動を規制するのである。
【００２８】
更に詳しくは、前記ブラケット６は、強度を増すためと、正面から見たときの重厚性を出すために、前記基板１２の下縁で前端から後端部にかけて傾斜して下がった縁部を内方へ折曲して折曲板３６を形成し、前記前受部３０は当該折曲板３６の前端に連続して形成している。ここで、前記折曲板３６の横幅は、前記受板２９の横幅に略一致させている。また、前記ブラケット６の基板１２の後端上部には、上方へ延設した立上部３７を形成し、該立上部３７の内縁には前記受板２９に連続するが、該受板２９よりも幅が狭い補強片３８を折曲形成している。また、前記保持部材１５は、上端に鍔部３９を有するとともに、横方向一側に開放した横長の保持溝４０を形成している。
【００２９】
そして、前記仕切部材８は、図３及び図４に示すように、帯状の金属材料をその長手方向に直角な折曲線で折曲して側面視略三角形状に形成したものである。前記仕切部材８は、前下がりの傾斜部４１の前部に垂直な前脚部４２を折曲形成し、前記傾斜部４１の後部に水平な頂部４３を形成し、該頂部４３の後端に垂直な後脚部４４を折曲形成し、該後脚部４４の下端に後向きに直角に折曲形成した取付片４５に、前記係合溝２６に横方向スライド可能に係合する合成樹脂製の横長ブロック状の係合部材４６を固定したものである。そして、前記仕切部材８は、図３に示すように、前記係合部材４６を前記係合溝２６の端部から挿入するとともに、前記開口３５に嵌着した前記保持部材１５の保持溝４０に上方から前脚部４２の下端を嵌挿して立起状態に保持する。尚、前記前脚部４２の下端部には、左右中央部に下向きに開放したスリット４７を形成している。
【００３０】
また、前記棚板７に載置した小物類が側方へ落下するのを防止するために、図３及び図４に示すように、落下防止部材４８を、前記係合溝２６を利用して棚板７の上面板１４の端部に装着している。前記落下防止部材４８は、断面略Ｌ字形の前後方向に延びた本体部４９と、該本体部４９の後端に内方へ平面視略Ｌ字状に屈曲した取付部５０を延設し、更に該取付部５０の後部に断面略ヘ字状に係合片５１を立ち上げ形成している。そして、前記落下防止部材４８の手前を落ち上げた傾斜状態で前記係合片５１を前記係合溝２６に前方から挿入した後、本体部４９を棚板７の上面板１４に載置することにより、前記係合片５１が係合溝２６に係止する。この状態で棚板７の側端まで落下防止部材４８をスライド移動させると、前記係合片５１が前記仕切部材８の係合部材４６に当止するので、側方へ抜け落ちることはないのである。ここで、前記落下防止部材４８の本体部４９は、前記仕切部材８の傾斜部４１の下方に収まり、該仕切部材８との一体感を呈するのである。つまり、前記仕切部材８の横幅と前記落下防止部材４８の本体部４９の横幅は略一致している。
【００３１】
次に、本発明の棚板下照明装置Ａは、図１、図２、図５〜図７に示すように、間隔を隔てて立設した両支柱１，１の係止孔１１，…を利用して、若しくは間仕切パネルの目地部に設けた係止孔を利用して、ブラケット６の後端に突設したフック１３，…を嵌合係止するとともに、両ブラケット６，６に棚板７の両端部を載置した収納棚であって、前記ブラケットを下縁が前端から後方になるに従い下方へ傾斜した傾斜縁５２とし、左右両側のブラケット６の上面に棚板７を載置し、前記傾斜縁５２に対応する傾斜板５４と後端に立ち上がった後面板５５とを有するたカバー部材５３を、両ブラケット６，６間で前記棚板７の前後縁に連結して空間部Ｓを形成し、該空間部Ｓ内で前記棚板７の下面に沿った奥部に照明具５６を横設するとともに、該照明具５６の下方に乳白色の透光板５７を水平に保持し、該透光板５７の下方に対応する前記カバー部材５３の傾斜板５４に開口部５８を形成したものである。尚、前記棚板７とカバー部材５３で下面に傾斜面を有するボックスを構成しているが、他の同等な形状のものでもよい。
【００３２】
更に、前記棚板７の下面奥部に前後一対のガイドレール５９，５９を並設し、該前後のガイドレール５９，５９間に前記照明具５６を配するとともに、該照明具５６の前後に突設したローラ６０，…を前記ガイドレール５９，５９に転動可能に載置して、当該照明具５６を横方向移動可能とし、前記透光板５７及び開口部５８は、前記照明具５６の移動軌跡に対応させて横長としている。更に、前記開口部５８の後方に横方向に延びたスリット溝６１を前記傾斜板５４に形成するとともに、前記照明具５６の後端部に固定し、下方へ延びた操作レバー６２を前記スリット溝６１から下方に露出している。従って、照明具５６の横方向位置を変えるには、前記操作レバー６２を持って横方向へ移動させればよい。
【００３３】
また、本発明の棚板下照明装置Ａは、机２と組み合わせて使用することにより、更に利便性が向上する。つまり、前記支柱１，１を机２の後方に立設し、該机２の天板５の直上の棚板７に前記照明具５６を組み込み、前記傾斜板５４の延長面が、机２に着座した使用者の目の高さよりも低くなるように、前記ブラケット６，６の支柱１への取付高さを設定すれば、机２に着座して作業する使用者の目に、直接照明具５６の光の透光板５７での散乱光も直接入らないので全く眩しくないのである。
【図面の簡単な説明】
【００３４】
【図１】本発明を適用した収納棚の全体側面図である。
【図２】同じく収納棚の正面図である。
【図３】支柱に棚板をブラケットにより取付けるとともに、仕切部材と落下防止部材を棚板に取付けた状態の部分斜視図である。
【図４】同じく要部の分解斜視図である。
【図５】本発明の棚板下照明装置の要部を示す断面図である。
【図６】同じく棚板下照明装置の正面図である。
【図７】机と棚板下照明装置との関係を示す部分断面図である。
【符号の説明】
【００３５】
１  支柱、            ２  机、
３  脚体、            ４  脚取付部材、
５  天板、            ６  ブラケット、
７  棚板、            ８  仕切部材、
９  連結杆、          １０  幕板、
１１  係止孔、        １２  基板、
１３  フック、        １４  上面板、
１５  保持部材、      １６  前補強縁、
１７  後補強縁、      １８  側端板、
１９  下面板、        ２０  スリット孔、
２１  開放部、        ２２  横補強部材、
２３  係合孔、        ２４  当止部材、
２５  当止片、        ２６  係合溝、
２７  レール部材、    ２８  支持レール、
２９  受板、          ３０  前受部、
３１  突片、          ３２  爪片、
３３  規制板、        ３４  爪片、
３５  開口、          ３６  折曲板、
３７  立上部、        ３８  補強片、
３９  鍔部、          ４０  保持溝、
４１  傾斜部、        ４２  前脚部、
４３  頂部、          ４４  後脚部、
４５  取付片、        ４６  係合部材、
４７  スリット、      ４８  落下防止部材、
４９  本体部、        ５０  取付部、
５１  係合片、        ５２  傾斜縁、
５３  カバー部材、    ５４  傾斜板、
５５  後面板、        ５６  照明具、
５７  透光板、        ５８  開口部、
５９  ガイドレール、  ６０  ローラ、
６１  スリット溝、    ｄ６２  操作レバー、
Ａ  棚板下照明装置。
【図１】
2008091185.tif 000003
【図２】
2008091185.tif 000004
【図３】
2008091185.tif 000005
【図４】
2008091185.tif 000006
【図５】
2008091185.tif 000007
【図６】
2008091185.tif 000008
【図７】
2008091185.tif 000009